(57)【要約】  本発明は、箱部（２８）と蓋（２９）とヒンジ（３０）とを有する喫煙物品（２）のための容器（２０）に関し、箱部は、底壁と前壁（２２）と後壁とを含み、蓋は、前壁と後壁と容器の上壁全体とを含み、蓋（２９）は、容器（２０）を開くためにそのヒンジ（３０）に関してピボット回転することができ、容器（２０）は、いくつかの喫煙物品（２）の周りを包むための内側ライナ（１０）を含み、内側ライナ（１０）は、上部パネル（１０３）を含み、内側ライナ（１０）の上部パネル（１０３）は、第１の上部部分（１００）の少なくとも一部及び第２の上部部分（１１０）を含み、第１の上部部分（１００）は、内側ライナ（１０）の残りから恒久的に取り外すことができる。【選択図】図１
2011506220.tif 000002
【特許請求の範囲】
【請求項１】
箱部（２８）と蓋（２９）とヒンジ（３０）とを有し、該箱部が、底壁と前壁（２２）と後壁とを含み、該蓋が、前壁と後壁と容器の上壁全体とを含み、該蓋（２９）が、容器（２０）を開くために該ヒンジ（３０）に関してピボット回転することができる喫煙物品（２）のための容器（２０）であって、
いくつかの喫煙物品（２）の周りを包むための内側ライナ（１０）を含み、
前記内側ライナ（１０）は、上部パネル（１０３）を含み、
前記内側ライナ（１０）の前記上部パネル（１０３）は、第１の上部部分（１００）の少なくとも一部及び第２の上部部分（１１０）を含み、かつ
前記第１の上部部分（１００）は、前記内側ライナ（１０）の残りから恒久的に取り外すことができる、
ことを特徴とする容器（２０）。
【請求項２】
前記第２の上部部分（１１０）は、前記第１の上部部分（１００）から独立に前記内側ライナ（１０）から取外し可能であることを特徴とする請求項１に記載の喫煙物品（２）のための容器（２０）。
【請求項３】
前記第１の上部部分（１００）と前記内側ライナ（１０）の前記残りとは、少なくとも１つの脆弱線（１０１）によって接続されることを特徴とする請求項１から請求項２のいずれか１項に記載の喫煙物品（２）のための容器（２０）。
【請求項４】
前記第１の上部部分（１００）は、更に、前記上部パネル（１０３）以外に前記内側ライナ（１０）の１つ、２つ、又は３つの付加的なパネル（１０２、１０４、１０５）にわたって延びることを特徴とする請求項１から請求項３のいずれか１項に記載の喫煙物品（２）のための容器（２０）。
【請求項５】
前記第１の上部部分（１００）は、前記内側ライナ（１０）の前記前面パネル（１０２）から前記上部パネル（１０３）にわたって前記背面パネル（１０５）まで延びることを特徴とする請求項４に記載の喫煙物品（２）のための容器（２０）。
【請求項６】
前記第１の上部部分（１００）は、更に、前記内側ライナの側面パネル（１０４）の縁部にわたって延びることを特徴とする請求項４に記載の喫煙物品（２）のための容器（２０）。
【請求項７】
前記ヒンジ（３０）は、容器（２０）の前記後壁（２５）に位置し、
前記第２の上部部分（１１０）は、容器（２０）の前記側壁（２４）の一方に隣接する前記内側ライナ（１０）の前記上部パネル（１０３）を覆う、
ことを特徴とする請求項１から請求項６のいずれか１項に記載の喫煙物品（２）のための容器（２０）。
【請求項８】
前記ヒンジ（３０）は、容器（２０）の側壁（２４）に位置し、
前記内側ライナ（１０）の前記第２の上部部分（１１０）は、前記ヒンジ（３０）を含む前記側壁（２４）に隣接する前記上部パネル（１０３）を覆う、
ことを特徴とする請求項１から請求項６のいずれか１項に記載の喫煙物品（２）のための容器（２０）。
【請求項９】
内側フレームを更に含むことを特徴とする請求項１から請求項８のいずれか１項に記載の喫煙物品（２）のための容器（２０）。
【請求項１０】
前記内側フレームの一部が、前記内側ライナ（１０）の前記上部パネル（１０３）の少なくとも一部にわたって延びることを特徴とする請求項８に記載の喫煙物品（２）のための容器（２０）。
【発明の詳細な説明】
【技術分野】
【０００１】
本発明は、シガレットのような喫煙物品のための容器に関する。
【背景技術】
【０００２】
包装の目的で、所定の丁合の複数の喫煙物品が内側ライナ内に包まれて、包まれた束を形成する。典型的には、包まれた束は、次に、剛性外側パック、例えば、ヒンジ式蓋パック、スライド及びシェルパック、又はショルダーボックスなどに挿入される。
ヒンジ式蓋パックの場合、一般的に、全ての喫煙物品にアクセスするために内側ライナの上部部分全体が取外し可能である。フィルタを有する喫煙物品、例えば、フィルタ付きシガレットの場合には、内側ライナの上部部分が喫煙物品のフィルタ端部を覆う。内側ライナの上部部分の取り外しを簡単にするために、通常は内側ライナに穿孔線が設けられる。しかし、内側ライナの上部部分全体が取り外された状態で、内側ライナは、もう閉じることができずに内側ライナの保護機能が低下する。
【０００３】
パックの製造中に、喫煙物品は、包まれた束内に所定の丁合で配列される。いくつかの喫煙物品がパックから取り出された後になると、包まれた束内の喫煙物品の丁合秩序が乱される。典型的には、残っている喫煙物品の少なくとも一部が容器の側壁に対して自然に偏った位置に並ぶ傾向がある。この時点で、これらの偏った喫煙物品の先端の一部が、パックが閉じる時にパックの蓋の前壁又は側壁によって捕捉されることがある。これは、喫煙物品の先端の望ましくない機械的損傷をもたらす場合がある。
【発明の概要】
【発明が解決しようとする課題】
【０００４】
喫煙物品の品質の潜在的な低下をもたらす包まれた束が開かれた後の不注意な物理的損傷、熱、及び水分の損失からの保護の改善をもたらす喫煙物品のための容器に対する必要性が存在する。
【課題を解決するための手段】
【０００５】
本発明により、箱部と蓋とヒンジとを含み、箱部が、底壁と前壁と後壁とを含み、蓋が、前壁と後壁と容器の上壁全体とを含む喫煙物品のための容器を提供する。蓋は、容器を開くためにそのヒンジに関してピボット回転することができる。容器は、いくつかの喫煙物品の周りを包んで包まれた束を形成するための内側ライナを更に含む。内側ライナは、上部パネルを含み、上部パネルは、第１の上部部分の少なくとも一部及び第２の上部部分を含む。第１の上部部分は、内側ライナの残りから恒久的に取り外されて喫煙物品にアクセスする開口部を作成することができる。
本明細書を通して、用語「上部」は、最初に容器から取り外された喫煙物品の上端を覆う容器又は内側ライナのその端部を意味するために使用される。通常の使用では、第２の上部部分は取り外されない。
【０００６】
内側ライナの残っている第２の上部部分は、容器内の喫煙物品の少なくとも一部の端部を覆って、覆われた喫煙物品に対する不注意な機械的損傷の危険性を有意に低減する。内側ライナの残っている上部部分は、蓋が閉じている間に蓋壁面のために平滑面を形成する。これは、ヒンジ式蓋パックを閉じるのを容易にする。更に、残っている第２の上部部分は、その固有の障壁特性により覆われた喫煙物品を保護する。更に、内側ライナの第２の上部部分は、容器内に残っている喫煙物品を安定させる。更に別の利点は、本発明による内側ライナは、従来型ヒンジ式蓋パックの内側ライナと同じ方法で製造中に取り扱うことができることである。これは、高速かつ低価格の良好な機械加工性を保証する。
【０００７】
好ましくは、本発明の容器による内側ライナの第２の上部部分は、第１の上部部分とは独立に、内側ライナから同様に取外し可能である。本発明のこの実施形態では、内側ライナの上部部分は、独立に取外し可能な２つの部分を含む。これは、喫煙物品にアクセスするために上壁のどの部分を取り外すかの選択を消費者に任せるものである。
好ましくは、第１の上部部分及び内側ライナの残りの部分は、少なくとも１つの脆弱線により接続される。脆弱線は、折り目線、ノッチ線、又は穿孔線とすることができる。穿孔線は、第１の上部部分を内側ライナの残りから分離することを可能にする好ましい方法である。
【０００８】
好ましくは、第１の上部部分は、上部パネル以外に内側ライナの１つ、２つ、又は３つの追加パネルの部分を含む。これは、内側ライナの開口部を通じて喫煙物品にアクセスする消費者の利便性を改善する。
好ましくは、上部パネルにわたって延びる第１の上部部分の一部のサイズは、上部パネルサイズの少なくとも１／４のサイズを有する。例えば、それは、内側ライナの上部パネルサイズの１／４、１／３、１／２、又は２／３のサイズを有し、又はいずれか別の適切なサイズを有することができる。
【０００９】
好ましくは、第１の上部部分は、上部パネルにわたって前面パネルから内側ライナの背面パネルまで延びている。この実施形態は、喫煙物品への特に便利なアクセスを可能にし、一方で内側ライナに残っている喫煙物品に対する機械的な力、熱、水分及び湿度の損失からの保護を依然として提供する。好ましい実施形態では、内側ライナの側壁の一部を含むように、第１の上部部分は、更に側壁の縁部にわたって延びている。
好ましくは、ヒンジ式蓋パックのヒンジがパックの後壁に設けられ、第２の上部部分は、パックの側壁の１つに隣接する内側ライナの上部パネルを含む。これは、そのようなヒンジ式蓋パックが閉じている時に蓋の側壁によって影響される最も高い危険性を有する容器内の喫煙物品を有利に保護する。
【００１０】
代替的に、側面が開放しているヒンジ式蓋パックでは、ヒンジが容器の側壁に設けられる。好ましくは、そのようなパックでは、内側ライナの第２の上部部分がヒンジを含む容器の上述の側壁に隣接する上部パネルを含む。これは、そのような側面開放ヒンジ式蓋パックが閉じている時に蓋の前壁又は後壁によって影響される最も高い危険性を有する容器内の喫煙物品を有利に保護する。
好ましくは、本発明による容器は、内側フレームを含む。内側フレームは、通常は喫煙物品のための容器の構造強度を増強するのに使用される。より好ましくは、内側フレームの一部は、内側ライナの上壁部分の少なくとも一部にわたって延びている。この特徴は、覆われた喫煙物品の上端の保護を更に増強する。
【００１１】
一般的に、内側ライナの第１の上部部分は、あらゆる適切な形状を有することができ、例えば、三角形、矩形、六角形、半円形、楕円形、又はそれらの形状の組合せ、又は例えば企業ロゴのような不規則な形状とすることができる。第１の上部部分はまた、内側ライナの前面パネル上に例えば三角形形状のような１つの特定形状を有することができ、また上部パネル上に例えば半円形又は矩形形状のような別の形状を有することができる。
【００１２】
本発明による容器の１つの特定的な実施形態では、第１の上部部分の形状は、側面から見た時に台形であり、前面パネル、上部パネル、背面パネルにわたって、かつ側面パネルの一部を含むように側面パネルの縁部にわたって延びている。
本発明による容器は、その寸法の適切な選択を通して、異なる数の喫煙物品の個々の束を収容するように設計することができる。代替的に又は追加的に、本発明による容器は、寸法が異なる喫煙物品（例えば、長さ又は周囲長が異なるシガレット）の個々の束を収容するように設計することができる。本発明による容器は、例えば、ショート（長さが約７０ｍｍから７５ｍｍ）、レギュラーサイズ（長さが約８０ｍｍ）、キングサイズ（長さが約８４ｍｍ）、スーパーキングサイズ、スリム、スーパースリム、又はワイドシガレットの１つ又はそれよりも多くの束を収容するように設計することができる。
【００１３】
容器はまた、その寸法の適切な選択を通して、全部で例えば、１０、１５、１６、１７、１８、１９、２０、２１、又は２５の喫煙物品を保持するように設計することができる。これらは、喫煙物品の総数に応じて異なる丁合で配列することができる。例えば、喫煙物品は、６、７、８、９、又は１０の１列に、５、６、７、８、９、又は１０の２列に、５−６、６−７、７−８の２列に、５−５−５、５−６−５、６−５−６、５−６−７、６−７−６、７−５−７、７−６−７、７−７−７、８−９−８の３列に、４、５、又は６の４列に配列することができる。
【００１４】
様々な異なる種類のシガレットが生産されて販売されている。例えば、異なる特徴的風味を有する銘柄のシガレットを生産するために、Ｂｕｒ１ｅｙ、Ｏｒｉｅｎｔａ１、及びＶｉｒｇｉｎｉａタバコのような独立の特徴的風味及び芳香を有する異なる種類のタバコが単独で又はタバコ配合物で各種の量で使用される。更に、長さ（例えば、レギュラーサイズ、キングサイズ、又はスーパーキングサイズ）、周囲長（例えば、スリム又はスーパースリム）、風味の強度、吸引抵抗、及び全粒子状物質送出が異なるシガレットと同様に、フィルタなしシガレット及び多くの異なる種類のフィルタ先端部を有するシガレットの両方が製造されている。更に、メントールのような香味料を含有するシガレットも利用することができる。
【００１５】
本発明による容器は、タバコ配合物又は香味料が異なる喫煙物品の１つ又はそれよりも多くの束を収容することができる。代替的に又は追加的に、本発明による容器は、サイズが異なる（長さが異なる、周囲長が異なる、又は長さ及び周囲長の両方が異なる）喫煙物品の１つ又はそれよりも多くの束を収容することができる。
好ましくは、本発明による容器は、実質的に平行六面体である。より好ましくは、本発明による容器は、実質的に直平行六面体である。代替的に、本発明による容器は、三角形、五角形、六角形、八角形、半円形、又は半楕円形のような異なる断面を有することができる。
【００１６】
本発明による容器は、１つ又はそれよりも多くの直角縦方向縁部、１つ又はそれよりも多くの直角横方向縁部、１つ又はそれよりも多くの丸形縦方向縁部、１つ又はそれよりも多くの丸形横方向縁部、１つ又はそれよりも多くの傾斜付き縦方向縁部、１つ又はそれよりも多くの傾斜付き横方向縁部、又はそれらのあらゆる適切な組合せを有することができる。
本発明による容器は、ヒンジ式蓋パック、ショルダーボックス、又はヒンジを有するスライド及びシェル型パックとすることができる。例えば、蓋は、容器の箱部に摺動可能に接続されたフラップにヒンジを通じて接続することができる。
本発明の更に別の有利な態様は、本発明の実施形態の以下の説明から明らかになるであろう。
【図面の簡単な説明】
【００１７】
【図１】１つの斜めに置かれたシガレットを有する本発明の一実施形態による開放容器の斜視図である。
【図２】本発明の一実施形態による包まれた束の正面図である。
【図３】折り畳まれていない方式の内側ライナの実施形態の上面図である。
【図４】１９のシガレットの丁合の周りに包まれた図３の内側ライナを含み、内側ライナの取外し可能な部分が取り外された本発明による包まれた束の上面図である。
【発明を実施するための形態】
【００１８】
図１は、シガレット２の大部分が取り出された本発明の実施形態による容器２０を示している。容器は、箱部２８と蓋２９とを含む。蓋２９は、容器を開くためにヒンジ３０に関してピボット回転することができる。容器２０は、前壁２２、後壁２５、及び２つの側壁２４を更に含む。図１では、内側ライナ１０の取外し可能な第１の上部部分１００が既になく、第２の上部部分１１０だけが存在する。開口部を通して斜めに置かれたシガレット２が見える。シガレット２が斜めに置かれているために、その上端が容器の側壁の上に突出する。この場合、蓋２９の側壁は、容器２０が閉じている時にシガレット２を損傷させることがある。一方、内側ライナ１０の上部パネル１０３の第２の上部部分１１０は、傾いて置かれたシガレット２が容器２０の別の側壁２４又は前壁２２の上に突出することを防止するので、パックの内側にあるシガレット２の機械的な損傷を防止する。
【００１９】
図２は、喫煙物品の丁合（見えない）の周りに包まれた内側ライナ１０を含む本発明の一実施形態による包まれた束１の正面図である。内側ライナ１０の第１の上部部分１００は、穿孔線１０１を通じて内側ライナ１０の残りに接続される。第１の上部部分１００は、内側ライナ１０の残りから分離されていない。第１の上部部分１００は、内側ライナ１０の前面パネル１０２上に三角形形状を有する。内側ライナ１０の背面パネル上で、図２では見えないが、第１の上部部分１００は、類似の三角形形状を有する。前面パネル上の及び背面パネル上の三角形部分は、穿孔線１０１を通じて接続される。穿孔線１０１は、上部パネル１０３にわたってかつ側面パネル１０４にわたって延びている。前面パネル１０２上の三角形部分の上端では、穿孔線１０１が、背面パネルの三角形部分の上端に向けて上部パネル１０３にわたって真っ直ぐな方式を維持する。前面パネル１０２上の三角形部分の下端では、穿孔線１０１が、内側ライナ１０の背面パネル上の三角形部分の下端に向けて側面パネル１０４にわたって真っ直ぐな方式を維持する。
【００２０】
喫煙物品にアクセスするために、第１の上部部分１００が、穿孔線１０１に沿って分離されることによって内側ライナ１０の残りから取り外される。このようにして、第１の上部部分１００が内側ライナ１０の残りから分離された状態で、内側ライナ１０の上部右側コーナが完全に取り外される。このようにして、消費者が喫煙物品に便利な方法でアクセス可能な開口部が内側ライナ１０内に作成される。
【００２１】
図３は、折り畳まれていない方式の内側ライナ１０の実施形態を示す。穿孔線１０１は、図３に点線によって表示され、取外し可能な第１の上部部分１００の境界を形成している。前面パネル１０２、背面パネル１０５、側壁パネル１０４及び１０６、及び底面パネル１０７の境界を形成する様々な折り畳み線も示されている。
内側ライナ１０は、あらゆる適切な材料から、例えば、紙又はアルミニウム箔から、又は例えば紙、アルミニウム箔、及びプラスチック材料の包装材料の組合せから作ることができる。
【００２２】
図４は、１９のフィルタ付きシガレット２を含む喫煙物品２の包まれた束１を示している。フィルタ付きシガレットのフィルタ２０は、上部パネル１０３に隣接して配列される。取外し可能な部分１００は、内側ライナ１０の残りから既に取り外されており、そのために第２の上部部分１１０だけが残されている。１９のシガレットパッケージの中でなくなっているシガレット２の位置２１は、第２の上部部分１１０によって覆われている。
【符号の説明】
【００２３】
２  喫煙物品
１０  内側ライナ
２０  容器
２２  前壁
２８  箱部
２９  蓋
３０  ヒンジ
１００  第１の上部部分
１１０  第２の上部部分
【図１】
2011506220.tif 000003
【図２】
2011506220.tif 000004
【図３】
2011506220.tif 000005
【図４】
2011506220.tif 000006
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
箱部（２８）と蓋（２９）とヒンジ（３０）とを有し、該箱部が、底壁と前壁（２２）と後壁とを含み、該蓋が、前壁と後壁と容器の上壁全体とを含み、該蓋（２９）が、容器（２０）を開くために該ヒンジ（３０）に関してピボット回転することができる喫煙物品（２）のための容器（２０）であって、
いくつかの喫煙物品（２）の周りを包むための内側ライナ（１０）を含み、
前記内側ライナ（１０）は、上部パネル（１０３）を含み、
前記内側ライナ（１０）の前記上部パネル（１０３）は、第１の上部部分（１００）の少なくとも一部及び第２の上部部分（１１０）を含み、かつ
前記第１の上部部分（１００）と前記第２の上部部分（１１０）がそれぞれ、前記内側ライナ（１０）の残りから独立にかつ恒久的に取り外すことができる、
ことを特徴とする容器（２０）。
【請求項２】
前記第１の上部部分（１００）と前記内側ライナ（１０）の前記残りとは、少なくとも１つの脆弱線（１０１）によって接続されることを特徴とする請求項１に記載の喫煙物品（２）のための容器（２０）。
【請求項３】
前記第１の上部部分（１００）は、更に、前記上部パネル（１０３）以外に前記内側ライナ（１０）の１つ、２つ、又は３つの付加的なパネル（１０２、１０４、１０５）にわたって延びることを特徴とする請求項１又は請求項２のいずれか１項に記載の喫煙物品（２）のための容器（２０）。
【請求項４】
前記第１の上部部分（１００）は、前記内側ライナ（１０）の前記前面パネル（１０２）から前記上部パネル（１０３）にわたって前記背面パネル（１０５）まで延びることを特徴とする請求項３に記載の喫煙物品（２）のための容器（２０）。
【請求項５】
前記第１の上部部分（１００）は、更に、前記内側ライナの側面パネル（１０４）の縁部にわたって延びることを特徴とする請求項３に記載の喫煙物品（２）のための容器（２０）。
【請求項６】
前記ヒンジ（３０）は、容器（２０）の前記後壁（２５）に位置し、
前記第２の上部部分（１１０）は、容器（２０）の前記側壁（２４）の一方に隣接する前記内側ライナ（１０）の前記上部パネル（１０３）を覆う、
ことを特徴とする請求項１から請求項５のいずれか１項に記載の喫煙物品（２）のための容器（２０）。
【請求項７】
前記ヒンジ（３０）は、容器（２０）の側壁（２４）に位置し、
前記内側ライナ（１０）の前記第２の上部部分（１１０）は、前記ヒンジ（３０）を含む前記側壁（２４）に隣接する前記上部パネル（１０３）を覆う、
ことを特徴とする請求項１から請求項５のいずれか１項に記載の喫煙物品（２）のための容器（２０）。
【請求項８】
内側フレームを更に含むことを特徴とする請求項１から請求項７のいずれか１項に記載の喫煙物品（２）のための容器（２０）。
【請求項９】
前記内側フレームの一部が、前記内側ライナ（１０）の前記上部パネル（１０３）の少なくとも一部にわたって延びることを特徴とする請求項８に記載の喫煙物品（２）のための容器（２０）。
【国際調査報告】
2011506220.tif 000007
2011506220.tif 000008
2011506220.tif 000009